(57)【要約】【課題】アンテナ素子の感度が最良となるように自由に角度調整可能なアンテナ装置を提供する。【解決手段】アンテナ素子と、アンテナ素子を覆うボトムカバーとトップカバーとを有するアンテナユニットと、任意の設置面に固着されるアンテナベースとを備えている。アンテナユニットとアンテナベースは、摺動ベアリングを用いフリーストップ機能を有する角度調整機構により連結されている。これらアンテナユニットとアンテナベースは、相対的な角度を自由に調整可能である。【選択図】  図３
2004289514.tif 000002
【特許請求の範囲】
【請求項１】
アンテナ素子と、当該アンテナ素子が収容されるボトムカバーとトップカバーとを有するアンテナユニットと、任意の設置面に固着されるアンテナベースとを備えてなり、摺動ベアリングを用いフリーストップ機能を有する角度調整機構により上記アンテナユニット及びアンテナベースが相対的な角度を調整可能に連結されていることを特徴とするアンテナ装置。
【請求項２】
前記角度調整機構は、摺動ベアリングが挿入される回転軸が突出形成された支持部を有し、前記摺動ベアリングを前記回転軸と平行方向に弾性部材により符勢されていることを特徴とする請求項１に記載のアンテナ装置。
【請求項３】
前記角度調整機構は、前記回転軸の周面が先端に向かって次第に径が小さくなるような傾斜面とされていることを特徴とする請求項２に記載のアンテナ装置。
【請求項４】
前記角度調整機構は、前記摺動ベアリングは前記回転軸の外周面に対応して傾斜面とされた孔部を有することを特徴とする請求項２乃至請求項３に記載のアンテナ装置。
【請求項５】
前記弾性部材は、摺動ベアリングを支持部側に向かって符勢する圧縮バネであることを特徴とする請求項２乃至４に記載のアンテナ装置。
【請求項６】
アンテナ素子と、当該アンテナ素子が収容されるボトムカバーとトップカバーとを有するアンテナユニットと、
任意の設置面に固着されるアンテナベースと、
前記アンテナベースに成形された支持部と、前記支持部より突出する回転軸と、回転軸に挿入される摺動ベアリングと、前記摺動ベアリングを回転軸方向に符勢する弾性部材とからなる、角度調整機構を備えてなり、
前記アンテナユニットが前記摺動ベアリングと結合されて、前記アンテナユニット及びアンテナベースが相対的な角度をフリーストップに調整可能に連結されていることを特徴とするアンテナ装置。
【請求項７】
アンテナユニットのアンテナベースとの対向面に突部が形成されるとともに、アンテナベースの前記突部に対応して凹部が形成され、この凹部の周囲に浮き防止爪が形成されていることを特徴とする請求項１乃至請求項６に記載のアンテナ装置。
【発明の詳細な説明】
【０００１】
【発明の属する技術分野】
本発明は、アンテナ装置に関し、良好な感度を確保することを可能としたアンテナ装置に関する。
【０００２】
【従来の技術】
従来のアンテナ装置の指向感度は、全指向性ではあるが、実際の取付使用時には遮蔽物や取付角度によって、最良の感度を確保することが難しい。また、アンテナ装置の設置は、アンテナケースの底面と取付場所の平面とを固着することにより行われるため、アンテナ素子を衛星がある方向に傾けて使用することは不可能である。そこで、角度調整機構によりアンテナユニット及びアンテナベースを連結したアンテナ装置が開発されている。
【特許文献】
特開平７−２４０６１７号公報
【０００３】
【発明が解決しようとする課題】
前記角度調整機構としては、従来、ヒンジやプランジャを使用した機構が採用されているが、ヒンジはヒンジメーカーから購入する必要があることから、製造コストの増大を招き、設計の自由度も制約される。
【０００４】
一方、プランジャは、バネとピン又は玉を使用するものであり、これを使用した場合、大きなトルクを与えるためにはバネやピンのサイズを大きくする必要が生じ、機器の大型化を招く。また、１０度刻みや１５度刻み等、一定の角度間隔での調整固定となるため、フリーストップ機能を求める場合には、その用途にそぐわない。
【０００５】
本発明は、上述のような課題に鑑みてなされたものであり、例えば自動車の車室内等に取付けた後も、自由に角度を調整し、最良の感度を得ることができるアンテナ装置を提供することを目的とする。
【０００６】
【課題を解決するための手段】
上述の目的を達成するために、本発明に係るアンテナ装置は、アンテナ素子と、当該アンテナ素子が収容されるボトムカバーとトップカバーとを有するアンテナユニットと、任意の設置面に固着されるアンテナベースとを備えてなり、摺動ベアリングを用いフリーストップ機能を有する角度調整機構により上記アンテナユニット及びアンテナベースが相対的な角度を調整可能に連結されていることを特徴とするものである。
【０００７】
本発明のアンテナ装置においては、アンテナ素子の感度が最良となるように、角度調整機構を介してアンテナケースとアンテナベースとの間の相対的な角度が自由に調整される。
【０００８】
【発明の実施の形態】
以下、本発明に係るアンテナ装置について、添付の図面を参照して詳細に説明する。
【０００９】
図１は、本発明を適用したアンテナ装置１の外観を示す図である。本例のアンテナ装置１は、例えば自動車の車内の任意の平面、好ましくは、窓付近の平面に取付けられ、ＧＰＳ信号、衛星ラジオ放送信号又はセルラ電話信号等の様々な信号を伝送する電波を受信する。
【００１０】
このアンテナ装置１は、例えば天頂方向に指向性を有するアンテナ素子として備え、このアンテナ素子を収納したアンテナユニット２を備えている。アンテナユニット２内には、アンテナ素子のみならず、アンテナ素子が受信した信号を増幅するための低雑音増幅器（ＬＮＡ）等が形成された回路基板を収納してもよい。
【００１１】
ここで、アンテナユニット２は、図２に示すように、アンテナ素子が載置されるトップカバー２ｂと、アンテナ素子を覆うボトムカバー２ａとを有し、これらがビス２ｃにより互いに結合されている。
【００１２】
さらに、アンテナ装置１は、任意の設置面に固着されるアンテナベース３を備える。アンテナベース３には、図３に示すように、フック穴３Ａが形成されており、壁掛け取り付けが可能になっている。各フック穴３Ａは、壁等に設けられたフック（図示は省略する。）を挿入するための大径部３ａと、その両側に形成された幅狭のスリット部３ｂ，３ｃとからなり、フックを大径部３ａから挿入し、いずれかのスリット部３ｂ，３ｃ側へスライドさせることにより不用意な脱落を防止して壁掛け取り付けが行われる。ここで、スリット部３ｂ，３ｃが大径部３ａの両側に形成されているために、アンテナ装置１を上下どちら向きにも壁掛け取り付けすることが可能である。
【００１３】
上記ボトムカバー２ａ及びトップカバー２ｂからなるアンテナユニット２と、アンテナベース３とは、角度調整機構を介して連結されている。以下、この角度調整機構について説明する。
【００１４】
本発明における角度調整機構は、摺動ベアリングを用いたフリーストップ機能を有するものである。その具体的構成としては、図３及び図４に示すように、先ず、アンテナベース３に、両側に回転軸５突出形成された支持部６が固定されている。この回転軸５は、それぞれ周面が先端に向かって次第に径が小さくなるような傾斜面とされている。
【００１５】
この回転軸５には、それぞれ回転軸５の外周面に対応して傾斜面とされた孔部７ａを有する摺動ベアリング７が挿入され、その外側に圧縮バネ８、ワッシャ９が挿入されてネジ１０によりネジ止めされている。アンテナユニット２は、この摺動ベアリング７と結合されており、この摺動ベアリング７の回動に伴ってアンテナベース３に対して任意の相対角度で角度調整される。
【００１６】
摺動ベアリング７は、前記圧縮バネ８で押圧されているので、外力が加わらないときには回転せず、固定状態を維持する。これに対して、アンテナユニット２に力を加えると、摺動ベアリング７が回転し、任意の角度に調整される。このとき、一定の角度間隔での調整固定ではなく、フリーストップ機能による自由な角度調整が可能である。
【００１７】
ここで、アンテナユニット２のアンテナベース３に対する相対的な角度とは、アンテナユニット２のボトムカバー２ａの底面により定義される面と、アンテナベース３の天面により定義される面とにより形成される角度を指す。本例において、前述の角度調整機構は、この角度を０°〜９０°の範囲で調整可能にアンテナユニット２とアンテナベース３とを連結している。
【００１８】
アンテナベース３は、例えば両面テープ、接着剤、ビス等、周知の様々な手法により、任意の平面に固着することができる。最も単純な形態においては、ユーザは、アンテナベース３を任意の平面に取付けた後、アンテナユニット２のアンテナベース３に対する相対的な角度を手動で調整する。例えば、このアンテナ装置１が衛星放送信号受信用のアンテナ装置であれば、ユーザは、実際に受信されたオーディオ情報の音質を自ら確認しながら、アンテナユニット２を最も感度がよい最適な角度にフリーストップ機能を利用して自由に調整することができる。
【００１９】
なお、アンテナユニット２のボトムカバー２ａには、そのほぼ中央部に突部２ｄが設けられ、一方、アンテナベース３には、この突部２ｄに対応して凹部３Ｂげ形成されている。さらに、この凹部３Ｂの周囲に浮き防止爪３Ｃが形成されている。したがって、アンテナユニット２を折り畳み収納した際には、前記突部２ｄが凹部３Ｂに収容され、その周囲に浮き防止爪３Ｃが係止することにより、不用意な開放や浮きが防止される。
【００２０】
【発明の効果】
以上のように、本発明に係るアンテナ装置は、アンテナユニット及びアンテナベースの相対的な角度を自由に調整可能な角度調整機構を備えるので、アンテナ素子の感度が最良となるように、アンテナユニットの角度を調整することができる。
【図面の簡単な説明】
【図１】本発明を適用したアンテナ装置の側面図である。
【図２】アンテナユニットのアンテナベースへの取り付け構造を示す分解側面図である。
【図３】角度調整機構の構造を分解して示す平面図である。
【図４】角度調整機構の構造を分解して示す正面図である。
【符号の説明】
１        アンテナ装置
２        アンテナユニット
２ａ      ボトムカバー
２ｂ      トップカバー
２ｃ      ビス
４        アンテナベース
５        回動軸
６        支持部
７        摺動ベアリング
８        圧縮バネ
９        ワッシャー
１０      ビス
【図１】
2004289514.tif 000003
【図２】
2004289514.tif 000004
【図３】
2004289514.tif 000005
【図４】
2004289514.tif 000006